(57)【特許請求の範囲】
【請求項１】
少なくとも、放送電波を受信・選局する受信選局部と、受信・選局された放送電波を復調する復調部と、復調された電波信号から映像信号、音声信号および番組情報等その他の情報信号に分配するデマルチプレクサ部と、前記情報信号を復号するデータデコーダ部と、映像信号を復号する映像信号復号部と、音声信号を復号する音声信号復号部とを有する車載用デジタルテレビ放送受信装置において、
車両の運転状況を検知するセンサ部と、
前記データデコーダ部により復号された情報信号から受信中の放送電波の番組情報を判定する番組情報判定手段と、
前記センサ部の出力と判定された番組情報とから再生する音声情報の選択を行う選択手段とを備え、
前記センサ部が車両が走行中であることを検知し、かつ、前記番組情報判定手段が受信している番組の番組情報が副音声を有する番組であると判定するとき、
前記選択手段が再生する音声として副音声を選択することを特徴とする車載用デジタルテレビ放送受信装置。
【発明の詳細な説明】
【０００１】
【発明の属する技術分野】
本発明は、車載用デジタルテレビ放送受信装置に関するもので、特に、車両の運転状況に基づき、受信装置が受信している番組の映像ならびに音声の再生を受信装置にて選択することで、走行中の安全を確保しつつ有効な情報を運転者に提供しようとするものである。
【０００２】
【従来の技術】
従来の車載用テレビ放送受信装置は車両の走行状況（停車中又は走行中）を検知するセンサ部と接続され、車両が停車中であることが検知されたときにおいてのみ、受信された映像信号を表示装置の画面に表示させるようにし、それ以外の場合は、運転者の注意を奪うおそれのある画面表示をオフあるいは表示装置の電源をオフとするような設定がなされ、受信された音声はそのままスピーカ等から再生されている。
【０００３】
最近のテレビ放送は、その多くが多重音声で放送されており、番組の内容に応じて、ステレオ放送、二カ国語放送、主／副音声放送、モノラル放送の音声が放送されている。
【０００４】
特に、主／副音声を有する番組は、画像を見ることのできない弱視の人のための解説音声を放送している場合が殆どである。
【０００５】
また、近年デジタル放送が開発され、例えば、通信衛星を使用した衛星デジタル放送が一般家庭で視聴されるようになってきているが、このデジタル放送を衛星ではなく地上波で行うための開発検討が進められている。
【０００６】
これらのデジタル放送においても、前述の多重音声による放送が可能であり、更に、番組情報を放送する電波とともに送信することが可能である。この番組情報には、放送されている番組に関する種々の情報が含まれており、その中には、番組の音声放送を特定するための判別コードも含まれ、受信装置側でこれらの番組情報を入手し、番組ガイドを作成することも行われている。
【０００７】
【発明が解決しようとする課題】
しかしながら、受信装置では、車載用に搭載された場合は、前述の通り、走行中の安全性を確保するために運転者の注意を奪うことの無いように、画面表示を行わない構成をとることが必要であり、一般のテレビ放送は画像と音声により情報を提供するものであるため、音声のみの放送では十分な情報を得られないという問題があった。
【０００８】
上記の問題は、受信している番組が副音声を有する多重放送である場合は、当該副音声を再生音声に選択することで放送されている番組についての十分な情報を得ることが可能であるが、当該番組が副音声を有しているかどうかについては、受信装置などへの表示で確認する必要があり、また、副音声を有する多重放送であっても現行のテレビ放送では、その放送が二カ国語で放送されているものか、あるいは、弱視者などのための解説のための副音声を有するものかの判別は操作者による判断が必要であり、番組の副音声の確認ならびに再生音声としての選択が非常に面倒であるとともに、走行中に操作を行うことは安全面からも問題がある。
【０００９】
本発明の目的は、上記の課題に鑑み、デジタルテレビ放送で放送されている番組とともに送信されている番組情報に織り込まれた情報を判別することで、受信中の番組が多重音声で放送され、主／副音声を有する放送の場合、走行中あるいは画面非表示の状態においては、再生音声として副音声のみを選択して再生するようにすることで、運転者に番組情報を十分に提供できるとともに走行中の安全性を確保できる受信装置を提供することにある。
【００１０】
また、本発明の更なる目的は、デジタル放送において、現在受信している番組の画像情報を映像信号に重畳して送信することで、一般的な動画表示以外の静止画像が放送されている場合に当該静止画像を画面上に表示するようにして、運転者の注意を損なうことなく、十分な情報を提供することにある。
【００１１】
【課題を解決するための手段】
上記課題を解決するために本発明は、少なくとも、放送電波を受信・選局する受信選局部と、受信・選局された放送電波を復調する復調部と、復調された電波信号から映像信号、音声信号ならびに番組情報等のその他の情報信号に分配するデマルチプレクサ部と、前記情報信号を復号するデータデコーダ部と、映像信号を復号する映像信号復号部と、音声信号を復号する音声信号復号部と、を有する車載用デジタルテレビ放送受信装置において、車両に車両運転状況を検知するセンサ部を設け、前記センサ部からの出力を前記受信装置に入力し、前記センサ部の出力が車両が走行中であることを示しているとともに、前記車載用テレビ放送受信装置が受信した番組情報に基づき、受信している番組の再生する映像情報ならびに音声情報を選択する選択手段を車載用デジタルテレビ放送受信装置に設けることで達成している。
【００１２】
更なる本発明は、少なくとも、放送電波を受信・選局する受信選局部と、受信・選局された放送電波を復調する復調部と、復調された電波信号から映像信号、音声信号ならびに番組情報等のその他の情報信号に分配するデマルチプレクサ部と、前記情報信号を復号するデータデコーダ部と、映像信号を復号する映像信号復号部と、音声信号を復号する音声信号復号部と、を有する車載用デジタルテレビ放送受信装置において、前記映像信号復号部が前記受信された放送電波の映像信号中に含まれる映像の種別情報を検出し、当該検出された種別情報に基づき、表示する画像情報を選択する選択手段を車載用デジタルテレビ放送受信装置に設けることで達成している。
【００１３】
【発明の実施の形態】
以下、本発明の最初の実施形態を図面とともに説明する。
【００１４】
図1は、本発明に係る車載用デジタルテレビ放送受信装置のブロック図を示したものである。
【００１５】
１は車載用デジタルテレビ放送受信装置であり、その内部には、アンテナ５が受信した電波から、操作者が選択する放送局の電波を選局する受信選局部１０と、受信した電波を復調する復調部１２があり、復調部１２は復調の状況を車載用デジタルテレビ受信装置１内の各機能の動作を制御する操作制御部３０に通知する。復調部１２により復調された信号波は、操作制御部３０の指示により、必要があれば、デスクランブラ部１４で解読され、解読された信号がMPEGデマルチプレクサ部１６に送られ、多重化されているデータストリームを個々のデータストリームに分離される。これらの個々のデータストリームは、制御操作部３０の指示に基づき、復調されたデータストリームからEPG（Electronic Program Ｇuide：電子番組ガイド）情報ならびにデータ情報を検出するＥＰＧ・データデコーダ部１８、受信している番組の映像信号を復号する映像信号復号部２０、受信している番組の音声信号を復号する音声信号復号部２２の各部へ送出される。EPG・データデコーダ部１８ならびに映像信号復号部２０の復号情報は操作制御部３０に送出され、操作制御部３０はこれらの情報と、運転状況検知部４０から操作制御部３０に入力された情報とに基づき表示映像制御部２４ならびに再生音声制御部２６に制御信号を送り、表示部３４で再生される映像ならびにスピーカ３６で再生される音声を選択する。
【００１６】
運転状況検知部４０は、車両の速度を検出するため前輪の回転軸などの回転駆動部に設けられたセンサ４１ならびにパーキングブレーキの稼動状況を検知するためのパーキングブレーキセンサ４２からの出力に基づき、車載用デジタルテレビ受信装置１内の操作制御部３０に車両の運転状況を示す出力信号を送達している。
【００１７】
操作入力部３２は、車両の運転者又は同乗者等からデジタルテレビ放送受信装置１に各種の指示を与えるための入力部であり、図示しないリモコン等から操作される。
【００１８】
以下、本発明の動作を図2に示したフローチャートに基づき説明する。
【００１９】
操作入力部３２への運転者等の操作によりテレビ放送の受信・音声選択自動モードが選択される（ステップ１００）と、操作制御部３０は車両の走行状況に関する情報を得るため、運転状況検知部４０からの出力を取得し、その情報をC0として記憶する（ステップ１０１）。
【００２０】
次に、操作制御部３０は、前記C0が車両が走行中か否かを判定し（ステップ１０２）、走行中でなければステップ１０４に移行し、画面表示をオンとし、走行中であればステップ１０３に移行し画面表示をオフとする。
【００２１】
上記までのステップで画面表示状況が設定されると、再生音声の選択のためのステップに移行する。まず、EPG・データデコーダ部１８で解読された番組情報から受信している番組の放送内容を操作制御部３０に取り込み、その内容をS0として記憶する（ステップ１１０）。
【００２２】
番組情報は、図３に示されるような放送中の番組ならびに放送が予定されている番組の情報を含むものであり、操作者からの入力により図３に表わされる番組情報を画面上に表示することも可能である。
【００２３】
図３において、「二」、「副」、「ス」、「モ」の各語句が各番組名を表示した欄の右下隅に記されているが、この語句は、各番組における放送種別を表わし、それぞれ、「二カ国語放送」、「主／副音声放送」、「ステレオ放送」、「モノラル放送」を意味する。この情報は車載用デジタルテレビ受信装置１が受信した電波からＥＰＧ・データデコーダ部１８で解読されるデータの一部（放送種別識別コード）として含まれている。S0は、受信している番組の放送種別識別コードを取り出したものである。
【００２４】
ステップ１１０で取得された番組の放送内容について、記憶されたS0の値を続くステップ１１１から１１３は操作制御部３０内部に設けられた番組情報判定手段を表わす。これらのステップで放送種別識別コードを判定し、判定結果に基づき、操作制御部３０が再生する音声を選択し、再生音声制御部２６への指示を与える。
【００２５】
まず、EPG・データデコーダ部１８から操作制御部３０に送出されたS0の値とモノラル放送を表わす放送種別識別コードとの比較判定が行われる（ステップ１１１）。比較判定の結果が一致した場合、受信している番組はモノラル放送であると判定され、操作制御部３０は再生音声としてモノラル音声を選択するよう再生音声制御部２６に指示を与える（ステップ１１５）。
【００２６】
ステップ１１１でS0の値がモノラル放送の放送種別識別コードと一致しなかった場合は、受信中の番組は、多重音声により放送されているものと判定され、S0がステレオ放送を表わす放送種別識別コードと比較される（ステップ１１２）。ここで値が一致した場合は、制御操作部３０は再生音声として主／副音声の双方を選択するよう再生音声制御部２６に指示を与える（ステップ１１６）。
【００２７】
ステップ１１２で値が一致しなかった場合、S0が二カ国語放送を表わす放送種別識別コードと比較され（ステップ１１３）、値が一致すると、操作制御部３０は再生音声として主音声のみを選択するように再生音声制御部２６に指示を与える（ステップ１１７）。
【００２８】
ステップ１１３でS0値が二カ国語放送識別コードとも一致しなかった場合、操作制御部３０は再生音声として副音声を選択するよう再生音声制御部26に指示を与える（ステップ１１４）。この時、S0の値がモノラル放送、ステレオ放送、二カ国語放送のいづれでもないことから、受信中の番組は、音声多重放送で主音声とは異なる副音声（一般的には弱視者のための解説音声）となる。
【００２９】
以上のステップで車両の走行状況ならびに受信中の放送番組の多重音声の判別に基づく画像表示ならびに音声の選択が行われたこととなる。以下のステップは、この車両走行状況ならびに番組情報の変移により、受信していた番組が終了し、他の放送形態を有する次の番組を受信していることを検知した場合の操作ステップを示す。
【００３０】
操作制御部３０は、運転状況検知部４０からの出力情報を確認し、その結果をC1として記憶する（ステップ１２０）。
【００３１】
次に、操作制御部３０は、ステップ１０１で記憶されているC0の値とステップ１２０で記憶されたC1の値とを比較し（ステップ１２１）、その値が一致しない場合、操作制御部３０は、新たに取得した運転状況検知出力C1をC0として記憶した後（ステップ１２２）、ステップ１０２に戻り、それ以降の操作を繰り返す。ステップ１２１で値が一致すれば、走行状況に変化が無いものとし、次のステップ１２５に移行する。
【００３２】
ステップ１２５で、操作制御部３０は番組情報（放送種別識別コード）をEPG・データデコーダ部１８から取得し、その結果をS1として記憶する。
【００３３】
次に、操作制御部３０は、ステップ１１０で記憶されているS0の値とステップ１２５で記憶されたS1の値とを比較し（ステップ１２６）、その値が一致しない場合、操作制御部３０は、新たに取得した番組情報出力値S1をS0として記憶した後（ステップ１２７）、ステップ1１1に戻り、それ以降の操作を繰り返す。ステップ１２６で値が一致すれば、番組情報に変化が無いものとし、次のステップ１３０に移行する。
【００３４】
ステップ１３０で、操作制御部３０は操作入力部３２からの操作情報を確認し、受信局の選局が変更されたか否かを判定する（ステップ１３０）。
【００３５】
このステップ１３０で操作者から選局変更の操作が行われていることが検知された場合、操作制御部３０は新たに選局された受信局を受信するように受信選局部１０への指示を与え、復調部１２からの情報で受信選局の完了を検知すると、ステップ１１０へ戻り、以後のステップを繰り返す。
【００３６】
ステップ１３１で操作者から受信・音声選択自動モードの解除の操作が選択されたか否かの検知を行う。このステップ１３１で自動モードを解除する操作が操作者に要求されている場合、操作制御部３０は音声選択の自動モードを解除し（ステップ１４０）、テレビ放送の再生音声は操作者の選択により行うことができるようになる。
ステップ１３１で操作者からの自動モード解除の操作がなされていない場合、操作制御部３０はステップ１２０に戻り、以後のステップを繰り返す。
【００３７】
上記の実施例により、デジタルテレビ放送で放送局から送信されてくる番組情報中に含まれる放送種別識別コードと車両の走行状況を検知する運転状況検知部からの出力に基づき、操作制御部３０が再生する音声を自動的に選択することが可能である。
【００３８】
なお、本発明の更なる実施例として、デジタルテレビ放送は、その放送する映像情報中に各種の映像種別識別コードを重畳して送ることも可能であり、例えば、送信する画像が一般的な動画ではなく、天気図等の静止画像であることを示す映像種別識別コードを送信することができる。
【００３９】
上記の映像種別識別コードは車載用デジタルテレビ受信装置１内の映像信号復号部２０に設けられた映像種別情報検出手段により検出される。映像信号復号部２０に設けられた映像種別情報検出手段は、映像復号部２０が復号する映像信号に重畳された映像種別識別コードを読み出し、当該映像種別識別コードを操作制御部３０に送出する。操作制御部３０は、映像復号部２０から送出される映像種別識別コードが受信中の画像が静止画像であることを示しているとき、運転状況検知部40からの出力が車両が走行中であることを示している場合であっても、表示部３４に静止画像を表示するよう表示映像制御部２４に指示を出すことが可能である。
【００４０】
上記の様な静止画像であれば、運転者の注意を損なうことが無く、運転者に音声情報とともに十分な情報を提供することができる。
【００４１】
図４に静止画像を表示するためのフローチャート図の一例を示す。
このフローチャート図で図2のフローチャート図と同一のステップ番号を有する箇所は図2と同一の動作を行うので、説明を省略する。
【００４２】
ステップ１０１から１０４までは図2と同じ動作である。
【００４３】
ステップ２０１で、操作制御部３０は映像信号復号部２０に設けられた映像種別情報識別手段から映像種別識別コードを取得し、P0として記憶する。続くステップ２０２で取得したP0が静止画像を表わすコードであるか否かを判定する。
【００４４】
ステップ２０２の判定結果、P0が静止画像を表わす場合、画面表示をオンとする（ステップ２０３）。即ち、ステップ１０２で車両が走行中であると判別され、画面表示がオフとなっていたとしても、静止画像の画面表示を行う様にこのステップ２０２から２０３で設定する。
【００４５】
ステップ２０２の判定結果、P0が静止画像以外の場合は、ステップ２０４で画面表示をオフとする。その後、ステップ１１０に移行し、以後ステップ１１７までは図2のフローチャートと同じ動作であるため説明を省略する。
【００４６】
ステップ１１７までの動作で画像表示ならびに再生音声が選択されると、操作制御部３０は次の動作を確定するため、ステップ１２０に移行し、図2のフローと同様に運転状況の変化の有無を確認する。その後、ステップ２１０で、操作制御部３０は、新たに映像信号復号部２０に設けられた映像種別情報検出手段から映像種別識別コードを取得し、P1として記憶する。このP1とステップ２０１で取得したP0との比較判定を行う（ステップ２１１）。
【００４７】
ステップ２１１の判定の結果、P0とP1が相違している場合、操作制御部３０は、新たに取得したP1の値をP0として記憶した後（ステップ２１２）ステップ２０２に戻り、このステップ以降の操作を繰り返す。
【００４８】
ステップ２１１の判定の結果、P1とP0との値が一致した場合、操作制御部３０はステップ１２５に移行し、以後、図2のフローチャートと同じ動作を繰り返す。
【００４９】
【発明の効果】
以上説明したように、本発明は、車両の走行状況を検知する検知部からの出力と、放送され受信されている番組に関する番組情報から得られる放送種別識別コードに基づき、再生する音声を選択するようにしたので、走行中に運転者の注意を損なうこと無く、受信している番組の情報を提供することを可能とし、かつ、当該再生音声を前記検知部出力と前記放送種別識別コードに基づき自動的に選択するように設定したので、運転者が最大限の情報を得るために行う必要がある操作を省く事ができるとの効果を有する。
【００５０】
更に、本発明は、映像信号復号部が検出する映像信号中に映像種別識別信号が重畳されて送信される場合において、当該映像種別識別信号が静止画像を表わす場合、更なる追加の映像情報を自動的に画面上に表示するように設定したので、運転者に更なる追加情報を提供でき、運転者へのテレビ放送からの情報提供が更に効果的に行えるとの効果を有するものである。
【図面の簡単な説明】
【図１】本発明に係る車載用デジタルテレビ受信装置のブロック図
【図２】本発明に係る車載用デジタルテレビ受信装置の動作フローチャート図
【図３】ＥＰＧの一例
【図４】静止画像を表示する車載用デジタルテレビ受信装置のフローチャート図
【符号の説明】
１ 車載用デジタルテレビ放送受信装置
１０ 受信選局部
１８ ＥＰＧ・データデコーダ部
２０ 映像信号復号部
２２ 音声信号復号部
２４ 表示映像制御部
２６ 再生音声制御部
３０ 操作制御部
３２ 操作入力部
３４ 表示部
３６ スピーカ
４０ 運転状況検知部
【図１】
0003665237.tif 000002
【図２】
0003665237.tif 000003
【図３】
0003665237.tif 000004
【図４】
0003665237.tif 000005